【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  複数の燃焼面を備えたバーナと、該バーナの燃焼熱を利用して通水を加熱するメイン熱交換器と、該メイン熱交換器よりも排気側に間隔を介して配設される潜熱回収用熱交換器とを有し、上記潜熱回収用熱交換器はフィンプレートが無い水管のみの水管群タイプの熱交換器により形成されており、上記バーナの燃焼により発生した排気をメイン熱交換器と潜熱回収用熱交換器とを順に通して燃焼機器の排気出口に導く通風通路が形成されている燃焼機器において、上記通風通路のメイン熱交換器と潜熱回収用熱交換器との間の領域は、バーナの各燃焼面に対向する空間領域が仕切部材よって区分されるとともに、前記潜熱回収用熱交換器部分の通風通路にもバーナの各燃焼面に対向する空間領域を区分する仕切部材が設けられており、上記メイン熱交換器と潜熱回収用熱交換器との間の領域であるつなぎ部に設けられた仕切部材と、潜熱回収用熱交換器部分の通風通路に設けられた仕切部材との間には、前記つなぎ部の仕切部材の熱が潜熱回収用熱交換器部分の仕切部材に伝熱されるのを阻止する断熱部材が介設されていることを特徴とする燃焼機器。
【請求項２】  複数の燃焼面を備えたバーナと、該バーナの燃焼熱を利用して通水を加熱するメイン熱交換器と、該メイン熱交換器よりも排気側に間隔を介して配設される潜熱回収用熱交換器とを有し、上記潜熱回収用熱交換器は水管がフィンプレートの貫通孔に挿通されて成るフィンタイプの熱交換器により形成されており、上記バーナの燃焼により発生した排気をメイン熱交換器と潜熱回収用熱交換器とを順に通して燃焼機器の排気出口に導く通風通路が形成されている燃焼機器において、上記潜熱回収用熱交換器のフィンプレートは通風通路を通る排気の流れに沿うように配置されており、上記通風通路のメイン熱交換器と潜熱回収用熱交換器との間の領域は、バーナの各燃焼面に対向する空間領域が仕切部材よって区分され、各仕切部材と、該仕切部材に対応する位置の上記潜熱回収用熱交換器のフィンプレートとの間には、仕切部材の熱が潜熱回収用熱交換器のフィンプレートに伝熱されるのを阻止する断熱部材が介設されていることを特徴とする燃焼機器。
【請求項３】  メイン熱交換器はフィンプレートが無い水管のみの水管群タイプの熱交換器により形成されており、このメイン熱交換器部分の通風通路にはバーナの各燃焼面に対向する空間領域を区分する仕切部材が設けられていることを特徴とする請求項１又は請求項２記載の燃焼機器。
【請求項４】  メイン熱交換器は水管がフィンプレートの貫通孔に挿通されて成るフィンタイプの熱交換器により形成されており、上記メイン熱交換器と潜熱回収用熱交換器との間の領域に設けられた各仕切部材と、該仕切部材に対応する位置の上記メイン熱交換器のフィンプレートとが連接されてメイン熱交換器部分の通風通路はバーナの各燃焼面に対向する空間領域ごとに区分されていることを特徴とする請求項１又は請求項２記載の燃焼機器。
【手続補正２】
【補正対象書類名】明細書
【補正対象項目名】００１４
【補正方法】変更
【補正の内容】
【００１４】
【課題を解決するための手段】
上記目的を達成するために、この発明は次に示すような構成をもって前記課題を解決する手段としている。すなわち、第１の発明は、複数の燃焼面を備えたバーナと、該バーナの燃焼熱を利用して通水を加熱するメイン熱交換器と、該メイン熱交換器よりも排気側に間隔を介して配設される潜熱回収用熱交換器とを有し、上記潜熱回収用熱交換器はフィンプレートが無い水管のみの水管群タイプの熱交換器により形成されており、上記バーナの燃焼により発生した排気をメイン熱交換器と潜熱回収用熱交換器とを順に通して燃焼機器の排気出口に導く通風通路が形成されている燃焼機器において、上記通風通路のメイン熱交換器と潜熱回収用熱交換器との間の領域は、バーナの各燃焼面に対向する空間領域が仕切部材よって区分されるとともに、前記潜熱回収用熱交換器部分の通風通路にもバーナの各燃焼面に対向する空間領域を区分する仕切部材が設けられており、上記メイン熱交換器と潜熱回収用熱交換器との間の領域であるつなぎ部に設けられた仕切部材と、潜熱回収用熱交換器部分の通風通路に設けられた仕切部材との間には、前記つなぎ部の仕切部材の熱が潜熱回収用熱交換器部分の仕切部材に伝熱されるのを阻止する断熱部材が介設されている構成をもって前記課題を解決する手段としている。
【手続補正３】
【補正対象書類名】明細書
【補正対象項目名】００１５
【補正方法】変更
【補正の内容】
【００１５】
第２の発明は、複数の燃焼面を備えたバーナと、該バーナの燃焼熱を利用して通水を加熱するメイン熱交換器と、該メイン熱交換器よりも排気側に間隔を介して配設される潜熱回収用熱交換器とを有し、上記潜熱回収用熱交換器は水管がフィンプレートの貫通孔に挿通されて成るフィンタイプの熱交換器により形成されており、上記バーナの燃焼により発生した排気をメイン熱交換器と潜熱回収用熱交換器とを順に通して燃焼機器の排気出口に導く通風通路が形成されている燃焼機器において、上記潜熱回収用熱交換器のフィンプレートは通風通路を通る排気の流れに沿うように配置されており、上記通風通路のメイン熱交換器と潜熱回収用熱交換器との間の領域は、バーナの各燃焼面に対向する空間領域が仕切部材よって区分され、各仕切部材と、該仕切部材に対応する位置の上記潜熱回収用熱交換器のフィンプレートとの間には、仕切部材の熱が潜熱回収用熱交換器のフィンプレートに伝熱されるのを阻止する断熱部材が介設されている構成をもって前記課題を解決する手段としている。
【手続補正４】
【補正対象書類名】明細書
【補正対象項目名】００１６
【補正方法】変更
【補正の内容】
【００１６】
第３の発明は、上記第１又は第２の発明の構成を備え、メイン熱交換器はフィンプレートが無い水管のみの水管群タイプの熱交換器により形成されており、このメイン熱交換器部分の通風通路にはバーナの各燃焼面に対向する空間領域を区分する仕切部材が設けられている構成をもって前記課題を解決する手段としている。
【手続補正５】
【補正対象書類名】明細書
【補正対象項目名】００１７
【補正方法】変更
【補正の内容】
【００１７】
第４の発明は、上記第１又は第２の発明の構成を備え、メイン熱交換器は水管がフィンプレートの貫通孔に挿通されて成るフィンタイプの熱交換器により形成されており、上記メイン熱交換器と潜熱回収用熱交換器との間の領域に設けられた各仕切部材と、該仕切部材に対応する位置の上記メイン熱交換器のフィンプレートとが連接されてメイン熱交換器部分の通風通路はバーナの各燃焼面に対向する空間領域ごとに区分されている構成をもって前記課題を解決する手段としている。
【手続補正６】
【補正対象書類名】明細書
【補正対象項目名】００１８
【補正方法】削除
【補正の内容】
【手続補正７】
【補正対象書類名】明細書
【補正対象項目名】００３３
【補正方法】変更
【補正の内容】
【００３３】
さらに、第１の実施形態例を説明すれば、この第１の実施形態例において特徴的なことは、つなぎ部１５に設けられた仕切部材１８ａ，１８ｂと、それら仕切部材１８ａ，１８ｂにそれぞれ対応する潜熱回収用熱交換器４のフィンプレート１７ａ，１７ｂとの間に、断熱部材を設けたことである。
【手続補正８】
【補正対象書類名】明細書
【補正対象項目名】００３７
【補正方法】変更
【補正の内容】
【００３７】
そこで、この第１の実施形態例では、仕切部材１８ａ，１８ｂと、それら仕切部材１８ａ，１８ｂにそれぞれ対応する潜熱回収用熱交換器４のフィンプレート１７ａ，１７ｂとの間に断熱部材を設け、該断熱部材によって、仕切部材１８ａ，１８ｂの熱が潜熱回収用熱交換器４のフィンプレート１７ａ，１７ｂに伝熱されるのを阻止し、仕切部材１８ａ，１８ｂが冷めるのを防止して、仕切部材１８ａ，１８ｂに結露が発生するのを回避する構成とした。
【手続補正９】
【補正対象書類名】明細書
【補正対象項目名】００３８
【補正方法】変更
【補正の内容】
【００３８】
この第１の実施形態例によれば、仕切部材１８ａ，１８ｂと、該仕切部材１８ａ，１８ｂにそれぞれ対応する潜熱回収用熱交換器４のフィンプレート１７ａ，１７ｂとの間に、断熱部材を設けたので、仕切部材１８ａ，１８ｂの熱が潜熱回収用熱交換器４のフィンプレート１７ａ，１７ｂに伝熱され仕切部材１８ａ，１８ｂが冷めるのを防止することができ、この仕切部材１８ａ，１８ｂの温度に起因した結露発生を回避することができる。このことから、上記仕切部材１８ａ，１８ｂに付着したドレンに起因した問題発生を防止することができる。
【手続補正１０】
【補正対象書類名】明細書
【補正対象項目名】００３９
【補正方法】変更
【補正の内容】
【００３９】
もちろん、この第１の実施形態例に示したような断熱部材を設けなくとも、例えば、仕切部材１８ａ，１８ｂと、該仕切部材１８ａ，１８ｂにそれぞれ対応する潜熱回収用熱交換器４のフィンプレート１７ａ，１７ｂとの間に、断熱層としての空隙を設けることで、仕切部材１８ａ，１８ｂの熱がフィンプレート１７ａ，１７ｂに伝熱され仕切部材１８ａ，１８ｂが冷めるのを防止することができ、このことにより、仕切部材１８ａ，１８ｂに結露が生じるのを回避することはできる。ただ、上記のように、仕切部材１８ａ，１８ｂとフィンプレート１７ａ，１７ｂとの間に空隙を設けると、部分燃焼状態であるときに、その空隙によって、排気と給気が混じり合う虞があることから、この第１の実施形態例に示したように、仕切部材１８ａ，１８ｂとフィンプレート１７ａ，１７ｂとの間に断熱部材を設け、該断熱部材によって、仕切部材１８ａ，１８ｂとフィンプレート１７ａ，１７ｂとの間の隙間を無くし、かつ、仕切部材１８ａ，１８ｂからフィンプレート１７ａ，１７ｂへの伝熱を阻止する構成とすることが好ましい。
【手続補正１１】
【補正対象書類名】明細書
【補正対象項目名】００４０
【補正方法】変更
【補正の内容】
【００４０】
なお、この発明は上記第１の実施形態例に限定されるものではなく、様々な実施の形態を採り得る。例えば、上記第１の実施形態例では、メイン熱交換器３および潜熱回収用熱交換器４は共にフィンタイプの熱交換器により形成されていたが、例えば、上記メイン熱交換器３と潜熱回収用熱交換器４の一方あるいは両方は、フィンプレートが無い水管のみの水管群タイプの熱交換器により形成してもよい。
【手続補正１２】
【補正対象書類名】明細書
【補正対象項目名】００４２
【補正方法】変更
【補正の内容】
【００４２】
図２にはメイン熱交換器３と潜熱回収用熱交換器４が共に水管群タイプの熱交換器により形成されている第２の実施形態例の燃焼機器が示されており、この図２に示すように、前記第１の実施形態例に示したつなぎ部１５の仕切部材１８に加えて、メイン熱交換器３部分の通風通路１１には、Ａ燃焼面に対向する空間領域とＢ燃焼面に対向する空間領域との境界部分に仕切部材２０ａが設けられ、また、Ａ燃焼面に対向する空間領域とＣ燃焼面に対向する空間領域との境界部分に仕切部材２０ｂが設けられている。
【手続補正１３】
【補正対象書類名】明細書
【補正対象項目名】００４４
【補正方法】変更
【補正の内容】
【００４４】
図２に示すようにメイン熱交換器３および潜熱回収用熱交換器４が共に水管群タイプの熱交換器である場合に、つなぎ部１５に前記仕切部材１８を設けると共に、上記したようにメイン熱交換器３部分と潜熱回収用熱交換器４部分に仕切部材２０，２１を設けることによって、部分燃焼状態であるときに、燃焼中の燃焼面から発生した排気は、潜熱回収用熱交換器４の出側に至るまで、燃焼していない燃焼面を通り抜けた給気と混じり合うことはなく、上記第１の実施形態例と同様に、部分燃焼状態のときにも、全面燃焼状態のときと同様に、高効率熱交換を達成することができる。
【手続補正１４】
【補正対象書類名】明細書
【補正対象項目名】００４５
【補正方法】変更
【補正の内容】
【００４５】
また、上記図２に示すように、潜熱回収用熱交換器４が水管群タイプの熱交換器であり、その潜熱回収用熱交換器４に仕切部材２１を設けた場合には、その潜熱回収用熱交換器４部分の仕切部材２１と、つなぎ部１５の仕切部材１８との間に、上記第１の実施形態例に示したような断熱部材を設けてもよく、該断熱部材によって、つなぎ部１５の仕切部材１８の熱が潜熱回収用熱交換器４部分の仕切部材２１に伝熱され仕切部材１８が冷めるのを防止し、仕切部材１８に結露が発生するのを回避する構成としてもよい。
【手続補正１５】
【補正対象書類名】明細書
【補正対象項目名】００４６
【補正方法】変更
【補正の内容】
【００４６】
なお、上記各実施形態例では、図１に示すように、バーナ２は上方側に燃焼面が形成されるタイプのバーナであったが、例えば、本発明は、図３に示すように、バーナ２の下方側に燃焼面が形成される逆さ燃焼タイプのバーナ２を備えた燃焼機器にも適用することができる。
【手続補正１６】
【補正対象書類名】明細書
【補正対象項目名】００５２
【補正方法】変更
【補正の内容】
【００５２】
また、図３に示す潜熱回収用熱交換器４がフィンタイプの熱交換器である場合には上記のように設けられるつなぎ部１５の仕切部材と該仕切部材に対応する潜熱回収用熱交換器４のフィンプレートとの間に、あるいは、潜熱回収用熱交換器４が水管群タイプの熱交換器である場合にはつなぎ部１５の仕切部材と潜熱回収用熱交換器４部分の仕切部材との間に、上記第１の実施形態例に示したような断熱部材を介設してもよい。ただ、図３に示す例では、つなぎ部１５に設けられる仕切部材の下方側にバーナ２は無く、仕切部材の下方側にはドレン受け部１２が配置されている構成であるので、仕切部材に結露が発生し、その結露によるドレンが仕切部材から滴下しても、そのドレンはドレン受け部１２によって受けられるので、前記第１の実施形態例に示したような断熱部材を設けなくとも、ドレン滴下に起因した問題は発生しない。
【手続補正１７】
【補正対象書類名】明細書
【補正対象項目名】００５８
【補正方法】変更
【補正の内容】
【００５８】
本発明においては、潜熱回収用熱交換器がフィンタイプの熱交換器である場合に、メイン熱交換器と潜熱回収用熱交換器との間の領域であるつなぎ部の仕切部材と、該仕切部材に対応する潜熱回収用熱交換器のフィンプレートとの間に、断熱部材を介設する構成とし、また、潜熱回収用熱交換器が水管群タイプの熱交換器でである場合に、この潜熱回収用熱交換器部分の通風通路には前記した仕切部材が設けられ、該仕切部材と、上記つなぎ部の仕切部材との間に、断熱部材を介設した構成としたので、つなぎ部の仕切部材の熱が潜熱回収用熱交換器のフィンプレートあるいは潜熱回収用熱交換器部分の仕切部材に伝熱してつなぎ部の仕切部材が冷めるのを防止することができる。このことから、つなぎ部の仕切部材に結露が発生するのを防止することができ、上記仕切部材から落下した結露の水滴に起因した問題発生を確実に回避することができる。
【手続補正１８】
【補正対象書類名】明細書
【補正対象項目名】図２
【補正方法】変更
【補正の内容】
【図２】
水管群タイプの熱交換器が設けられている場合の第２の実施形態例を示すモデル図である。